(57)【要約】【課題】排気ファンと外気導入ファンとの連携接続が切れた場合であっても安定して換気を行うことが可能な換気空調システムを提供すること。【解決手段】連動制御部３１は、外気導入ファン４と排気ファン５ａ〜５ｄとを連動させて制御する。排気風量受信部３２は、排気ファン５ａ〜５ｄの排気風量を示す排気風量信号を排気ファン５ａ〜５ｄから受信する。不通判定部３３は、排気風量受信部３２が排気風量信号を受信できない不通状態を判定する。不通時給気制御部３４は、不通判定部３３が不通状態と判定した場合には所定の風量で外気導入ファン４を制御する。【選択図】図２
2020051679.tif 000002
【特許請求の範囲】
【請求項１】
室内に外気を取り込む外気導入ファンと、
室内から外気を排出する排気ファンと、
前記外気導入ファンと前記排気ファンに通信可能に接続され前記外気導入ファンと前記排気ファンの動作を制御するシステムコントローラと、を備え、
前記システムコントローラは、
前記外気導入ファンと前記排気ファンとを連動させて制御する連動制御部と、
前記排気ファンの排気風量を示す排気風量信号を前記排気ファンから受信する排気風量受信部と、
前記排気風量受信部が前記排気風量信号を受信できない不通状態を判定する不通判定部と、
前記不通判定部が不通状態と判定した場合には所定の風量で前記外気導入ファンを制御する不通時給気制御部と、を備えた換気空調システム。
【請求項２】
前記所定の風量は、
前記外気導入ファンの最大風量である請求項１記載の換気空調システム。
【請求項３】
前記所定の風量は、
予め決められた不通状態時に動作させる風量でありかつ前記外気導入ファンの最大風量とは異なる風量である請求項１記載の換気空調システム。
【請求項４】
前記システムコントローラは、
前記排気ファンの風量の履歴を記憶する風量記憶部を備え、
前記所定の風量は、
前記排気ファンが不通状態になるまでの前記排気ファンの風量の履歴に基づいた風量である請求項１記載の換気空調システム。
【請求項５】
前記システムコントローラは、
前記排気ファンの風量の履歴に基づいて風量の平均値を算出する平均値算出部を備え、
前記不通時給気制御部は、
前記平均値算出部が算出した風量の平均値を前記所定の風量として前記外気導入ファンを制御する請求項４記載の換気空調システム。
【請求項６】
前記平均値算出部は、
前記排気ファンの風量の履歴における直前の一定時間での風量の平均値を算出する請求項５記載の換気空調システム。
【請求項７】
前記システムコントローラは、
前記排気ファンの風量の履歴の中の最大風量を算出する最大風量算出部を備え、
前記不通時給気制御部は、
前記最大風量算出部が算出した最大風量を前記所定の風量として前記外気導入ファンを制御する請求項４記載の換気空調システム。
【請求項８】
前記排気ファンの最大風量算出部は、
前記風量の履歴における直前の一定時間での最大風量を算出する請求項７記載の換気空調システム。
【請求項９】
前記不通判定部は、
前記排気ファンからの通信を所定回数受信できなかった場合に前記不通状態と判断する請求項１記載の換気空調システム。
【請求項１０】
室内から外気を取り込むファンと、
室内から外気を排出する排気ファンと通信可能に接続され、前記ファンと前記排気ファンの動作を制御するシステムコントローラと、を備え、
前記システムコントローラは、
前記ファンと前記排気ファンとを連動させて制御する連動制御部と、
前記排気ファンの排気風量を示す排気風量信号を前記排気ファンから受信する排気風量受信部と、
前記排気風量受信部が前記排気風量信号を受信できない不通状態を判定する不通判定部と、
前記不通判定部が不通状態と判定した場合には所定の風量で前記ファンを制御する不通時給気制御部と、を備えた外気導入ファン。
【発明の詳細な説明】
【技術分野】
【０００１】
本発明は、換気空調システム及び外気導入ファンに関する。
【背景技術】
【０００２】
住宅等の建物に対して構築され、建物の内側から外側へ空気を搬送可能な排気ファンと建物の外側から内側へ空気を搬送可能な外気導入ファンとを有する第１種換気方式の換気空調システムが知られている。このような換気空調システムの中には、排気ファンと外気導入ファンとを連動させながら各々の風量を個別に制御して、換気を実施するものがある（例えば、特許文献１）。
【０００３】
例えば、排気ファンの排気風量に応じた給気風量で外気導入ファンを運転させる換気空調システムがある。このような換気空調システムでは、建物内で連動しながら個別に動作する排気ファンと外気導入ファンとが同性能となるように、設置時に風量設定が行われる。一方で、排気ファンが、センサによる自動運転やユーザによる操作によって当初設定と異なる風量となった場合に、換気空調システムでは、その排気風量に外気導入ファンの給気風量を追従させる。このような換気空調システムを実現させるために、建物に設置された排気ファン及び外気導入ファンが有線又は無線により連携接続されている。
【先行技術文献】
【特許文献】
【０００４】
【特許文献１】特開２０１４−５９８６号公報
【発明の概要】
【発明が解決しようとする課題】
【０００５】
このような換気空調システムにおいて、有線又は無線による連携接続が遮断又は切断された場合には、外気導入ファンが排気ファンの運転状況を把握できない。このような場合、排気ファンの排気風量に応じた給気風量にて外気導入ファンを動作させることができないため、従来の換気空調システムでは外気導入ファンを停止させていた。しかしながら、これでは、排気ファンが運転している状況で外気導入ファンが停止するため、給排気バランスが崩れ、計画的な換気を安定して行うという第１種換気方式の本来の目的の達成ができなくなるという課題があった。また、建物内部が負圧になり隙間から外気が流入したり、窓サッシが開きにくくなったりするおそれもあった。
【０００６】
本発明は、上記課題を解決するためになされたものであり、排気ファンと外気導入ファンとの連携接続が切れた場合であっても安定して換気を行うことが可能な換気空調システム及び外気導入ファンを提供することを目的とする。
【課題を解決するための手段】
【０００７】
この目的を達成するために、本発明の換気空調システムは、外気導入ファンと、排気ファンと、システムコントローラと、を備える。外気導入ファンは、室内に外気を取り込む。排気ファンは、室内から外気を排出する。システムコントローラは、外気導入ファンと排気ファンに通信可能に接続され、外気導入ファンと排気ファンの動作を制御するものであり、連動制御部と、排気風量受信部と、不通判定部と、不通時給気制御部と、を備える。連動制御部は、外気導入ファンと排気ファンとを連動させて制御する。排気風量受信部は、排気ファンの排気風量を示す排気風量信号を排気ファンから受信する。不通判定部は、排気風量受信部が排気風量信号を受信できない不通状態を判定する。不通時給気制御部は、不通判定部が不通状態と判定した場合には所定の風量で外気導入ファンを制御する。
【０００８】
本発明の外気導入ファンは、ファンと、システムコントローラと、を備える。ファンは、室内から外気を取り込む。システムコントローラは、室内から外気を排出する排気ファンと通信可能に接続され、ファンと排気ファンの動作を制御するものであり、連動制御部と、排気風量受信部と、不通判定部と、不通時給気制御部と、を備える。連動制御部は、ファンと排気ファンとを連動させて制御する。排気風量受信部は、排気ファンの排気風量を示す排気風量信号を排気ファンから受信する。不通判定部は、排気風量受信部が排気風量信号を受信できない不通状態を判定する。不通時給気制御部は、不通判定部が不通状態と判定した場合には所定の風量でファンを制御する。
【発明の効果】
【０００９】
本発明の換気空調システム及び外気導入ファンによれば、排気風量受信部が排気風量信号を受信できない不通状態と不通判定部により判定された場合に、外気導入ファンは不通時給気制御部によって所定の風量で制御される。よって、排気ファンと外気導入ファンとの連携接続が切れた場合であっても安定して換気を行うことができるという効果がある。
【図面の簡単な説明】
【００１０】
【図１】本発明の第１実施形態に係る換気空調システムの接続概略図である。
【図２】同換気空調システムのシステムコントローラの概略機能ブロック図である。
【図３】同システムコントローラにて実行されるファン風量制御処理を示すフローチャートである。
【図４】本発明の第２実施形態に係る換気空調システムのシステムコントローラの概略機能ブロック図である。
【図５】同システムコントローラにて実行されるファン風量制御処理を示すフローチャートである。
【図６】本発明の第３実施形態に係る換気空調システムのシステムコントローラの概略機能ブロック図である。
【図７】同システムコントローラにて実行されるファン風量制御処理を示すフローチャートである。
【図８】本発明の第４実施形態に係る換気空調システムのシステムコントローラにて実行されるファン風量制御処理を示すフローチャートである。
【発明を実施するための形態】
【００１１】
以下、本発明を実施するための形態について添付図面を参照して説明する。なお、以下に説明する実施の形態は、いずれも本発明の好ましい一具体例を示すものである。よって、以下の実施の形態で示される、数値、形状、材料、構成要素、構成要素の配置位置及び接続形態、並びに、ステップ（工程）及びステップの順序などは、一例であって本発明を限定する主旨ではない。従って、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略又は簡略化する。
【００１２】
（第１実施形態）
まず、図１を参照して、本発明の第１実施形態に係る換気空調システム２０について説明する。図１は、本第１実施形態に係る換気空調システム２０の接続概略図である。
【００１３】
換気空調システム２０は、外気導入ファン４と、複数の排気ファン５ａ，５ｂ，５ｃ，５ｄと、複数の搬送ファン３ａ，３ｂ，３ｃ，３ｄと、複数の循環ファン６ａ，６ｂ，６ｃ，６ｄと、居室温度センサー１１ａ，１１ｂ，１１ｃ，１１ｄと、居室湿度センサー１２ａ，１２ｂ，１２ｃ，１２ｄと、空調室温度センサー１４と、空調室湿度センサー１５と、エアコンディショナー９と、加湿器１６と、除湿器１７と、入出力端末１９と、システムコントローラ１０とを備えて構成される。
【００１４】
換気空調システム２０は、建物の一例である一般住宅１内に設置される。一般住宅１は、複数（本実施形態では４つ）の居室２ａ〜２ｄに加え、居室２ａ〜２ｄと独立した少なくとも１つの空調室１８を有している。ここで一般住宅１（住宅）とは、居住者がプライベートな生活を営む場として提供された住居であり、一般的な構成として居室にはリビング、ダイニング、寝室、個室、子供部屋等が含まれる。また換気空調システム２０が提供する居室にトイレ、浴室、洗面所、脱衣所等を含んでもよい。
【００１５】
空調室１８では、外気導入ファン４により外気が空調室１８内に取り込まれ、循環ファン６ａ〜６ｄによって各居室２ａ〜２ｄより搬送された空気と混合される。空調室１８の空気は、空調室１８内に設けられたエアコンディショナー９、加湿器１６及び除湿器１７によって温度及び湿度が制御されることにより空調される。空調室１８にて空調された空気は、搬送ファン３ａ〜３ｄにより、各居室２ａ〜２ｄに搬送される。
【００１６】
各居室２ａ〜２ｄの空気は、循環ファン６ａ〜６ｄにより空調室１８へ搬送される他、排気ファン５ａ〜５ｄによって居室２ａ〜２ｄ内から一般住宅１外へ外気として排出される。換気空調システム２０は、排気ファン５ａ〜５ｄの排気風量を制御して室内から外気を排出しつつ、その排気ファン５ａ〜５ｄの排気風量と連動させながら外気導入ファン４の給気風量を制御して室内に外気を取り込むことで、第１種換気方式の換気が行われる。
【００１７】
外気導入ファン４は、一般住宅１の室内に外気を取り込むファンであり、給気ファンや熱交換気扇の給気機能等が該当する。上述した通り、外気導入ファン４により取り込まれた外気は、空調室１８内に導入される。外気導入ファン４の給気風量は、複数段階で設定可能に構成されており、その排気風量は、後述するように、排気ファン５ａ〜５ｄの排気風量に応じて設定される。
【００１８】
排気ファン５ａ〜５ｄは、対応する居室２ａ〜２ｄの空気の一部を外気として排出するファンであり、天埋換気扇、壁掛換気扇、レンジフード、熱交換気扇の排気機能等が該当する。排気ファン５ａは居室２ａに、排気ファン５ｂは居室２ｂに、排気ファン５ｃは居室２ｃに、排気ファン５ｄは居室２ｄに設けられている。
【００１９】
各排気ファン５ａ〜５ｄは、それぞれ、その排気風量が複数段階で設定可能に構成されている。通常時は、予め設定された排気風量となるように各排気ファン５ａ〜５ｄは制御される。そして、ユーザによる設定や、各種センサーにより取得された値に応じて、排気ファン５ａ〜５ｄ毎に排気風量が制御される。
【００２０】
搬送ファン３ａ〜３ｄは、各居室２ａ〜２ｄに対応して空調室１８に設けられている。空調室１８の空気は、搬送ファン３ａによって居室２ａに搬送され、搬送ファン３ｂによって居室２ｂに搬送され、搬送ファン３ｃによって居室２ｃに搬送され、搬送ファン３ｄによって居室２ｄに搬送される。
【００２１】
循環ファン６ａは居室２ａに、循環ファン６ｂは居室２ｂに、循環ファン６ｃは居室２ｃに、循環ファン６ｄは居室２ｄに設けられている。各居室２ａ〜２ｄの空気の一部は、対応する循環ファン６ａ〜６ｄによって、空調室１８に搬送される。
【００２２】
エアコンディショナー９、加湿器１６及び除湿器１７は、空調機に該当するものであり、空調室１８の空調を制御する。エアコンディショナー９は、空調室１８の空気の温度が設定された目標温度（空調室目標温度）となるように、空調室１８の空気を冷却又は加熱する。
【００２３】
加湿器１６は、空調室１８の空気の湿度が設定された目標湿度（空調室目標湿度）よりも低い場合にその湿度が空調室目標湿度となるように、空調室１８の空気を加湿する。
【００２４】
除湿器１７は、空調室１８の空気の湿度が設定された目標湿度（空調室目標湿度）よりも高い場合にその湿度が空調室目標湿度となるように、空調室１８の空気を除湿する。
【００２５】
居室温度センサー１１ａは、居室２ａに設けられ、居室温度センサー１１ｂは、居室２ｂに設けられ、居室温度センサー１１ｃは、居室２ｃに設けられ、居室温度センサー１１ｄは、居室２ｄに設けられている。居室温度センサー１１ａ〜１１ｄは、対応する居室２ａ〜２ｄそれぞれの室内温度を取得して、システムコントローラ１０に送信するセンサーである。
【００２６】
居室湿度センサー１２ａは、居室２ａに設けられ、居室湿度センサー１２ｂは、居室２ｂに設けられ、居室湿度センサー１２ｃは、居室２ｃに設けられ、居室湿度センサー１２ｄは、居室２ｄに設けられている。居室湿度センサー１２ａ〜１２ｄは、対応する居室２ａ〜２ｄそれぞれの室内湿度を取得して、システムコントローラ１０に送信するセンサーである。
【００２７】
空調室温度センサー１４は、空調室１８の空気の温度を取得して、システムコントローラ１０に送信するセンサーである。空調室湿度センサー１５は、空調室１８の空気の湿度を取得して、システムコントローラ１０に送信するセンサーである。
【００２８】
システムコントローラ１０は、換気空調システム２０全体を制御するコントローラである。システムコントローラ１０は、外気導入ファン４、排気ファン５ａ〜５ｄ、搬送ファン３ａ〜３ｄ、循環ファン６ａ〜６ｄ、居室温度センサー１１ａ〜１１ｄ、居室湿度センサー１２ａ〜１２ｄ、空調室温度センサー１４、空調室湿度センサー１５、エアコンディショナー９、加湿器１６及び除湿器１７と、無線通信により通信可能に接続されている。
【００２９】
システムコントローラ１０は、排気ファン５ａ〜５ｄの排気風量に応じた風量となるように、外気導入ファン４の給気風量を設定する等、外気導入ファン４と排気ファン５ａ〜５ｄとを連動させて制御する。これにより、一般住宅１に対して第１種換気方式による換気が行われる。
【００３０】
また、システムコントローラ１０は、空調室温度センサー１４及び空調室湿度センサー１５により取得される空調室１８の空気の温度及び湿度に基づいて、空調室１８の温度及び／又は湿度が、空調室１８に設定された空調室目標温度及び／又は空調室目標湿度となるように、空調機としてのエアコンディショナー９、加湿器１６、除湿器１７を制御する。
【００３１】
また、システムコントローラ１０は、居室温度センサー１１ａ〜１１ｄ及び居室湿度センサー１２ａ〜１２ｄにより取得された各居室２ａ〜２ｄそれぞれの室内温度及び／又は室内湿度と、居室２ａ〜２ｄ毎に設定された目標温度（居室目標温度）及び／又は目標湿度（居室目標湿度）等に応じて、搬送ファン３ａ〜３ｄの風量や循環ファン６ａ〜６ｄの風量を設定する。
【００３２】
これにより、空調室１８にて空調された空気が、各搬送ファン３ａ〜３ｄに設定された風量で各居室２ａ〜２ｄに搬送され、また、各居室２ａ〜２ｄの空気が、各循環ファン６ａ〜６ｄに設定された風量で空調室１８に搬送される。よって、各居室２ａ〜２ｄの室内温度及び／又は室内湿度が、居室目標温度及び／又は居室目標湿度となるように制御される。
【００３３】
ここで、システムコントローラ１０と、外気導入ファン４、排気ファン５ａ〜５ｄ、搬送ファン３ａ〜３ｄ、循環ファン６ａ〜６ｄ、居室温度センサー１１ａ〜１１ｄ、居室湿度センサー１２ａ〜１２ｄ、空調室温度センサー１４、空調室湿度センサー１５、エアコンディショナー９、加湿器１６及び除湿器１７とが、無線通信で接続されることにより、複雑な配線工事を不要とすることができる。ただし、これら全体を、又は、システムコントローラ１０とこれらの一部を、有線通信により通信可能に構成してもよい。
【００３４】
入出力端末１９は、システムコントローラ１０と無線通信により通信可能に接続され、換気空調システム２０を構築するうえで必要な情報の入力を受け付けてシステムコントローラ１０に記憶させたり、換気空調システム２０の状態をシステムコントローラ１０から取得して表示したりするものである。入出力端末１９は、携帯電話、スマートフォン、タブレットといった携帯情報端末が例として挙げられる。
【００３５】
なお、入出力端末１９は、必ずしも無線通信によりシステムコントローラ１０と接続される必要はなく、有線通信により通信可能にシステムコントローラ１０と接続されてもよい。この場合、入出力端末１９は、例えば、壁掛のリモートコントローラにより実現されるものであってもよい。
【００３６】
次いで、図２を参照して、システムコントローラ１０の各機能について説明する。図２は、システムコントローラ１０の概略機能ブロック図である。
【００３７】
システムコントローラ１０は、連動制御部３１、排気風量受信部３２、不通判定部３３、不通時給気制御部３４、平均値算出部３６、風量記憶部３５を少なくとも有している。
【００３８】
連動制御部３１は、外気導入ファン４と、排気ファン５ａ〜５ｄとを連動させて制御する。具体的には、連動制御部３１は、各排気ファン５ａ〜５ｄをそれぞれ、予め設定された風量、ユーザの設定及び各種センサーにより取得された値等に応じて、排気風量を設定する。
【００３９】
また、連動制御部３１は、排気風量受信部３２により所定時間毎に取得された、各排気ファン５ａ〜５ｄの実際の運転における排気風量を参照する。そして、連動制御部３１は、排気ファン５ａ〜５ｄのそれぞれにおける実際の排気風量の合計と等しい風量となるように、外気導入ファン４の給気風量を設定する。これにより、一般住宅１内の空気質の維持と空気量の維持とを図ることができる。
【００４０】
排気風量受信部３２は、所定時間（例えば１分）毎に、各排気ファン５ａ〜５ｄに対して、実際の運転における排気風量を問い合わせ、それぞれの排気ファン５ａ〜５ｄから、実際の排気風量を取得する。取得された排気風量は、連動制御部３１で使用される。また、排気風量受信部３２における排気風量の受信の有無（成否）が、不通判定部３３によって使用される。
【００４１】
風量記憶部３５は、排気風量受信部３２により取得された各排気ファン５ａ〜５ｄにおける排気風量の履歴を記憶する。本第１実施形態に係る風量記憶部３５は、排気ファン５ａ〜５ｄ毎に排気風量の履歴を記憶するが、排気ファン５ａ〜５ｄの排気風量の合計値の履歴を記憶するようにしてもよい。また、風量記憶部３５に記憶可能な排気風量の履歴は、直前の所定期間（例えば、６時間）に限定され、所定期間を超えた履歴は消去されるようにしてもよい。
【００４２】
平均値算出部３６は、風量記憶部３５に記憶された各排気ファン５ａ〜５ｄの排気風量の履歴から、排気ファン５ａ〜５ｄ毎に排気風量の平均値を算出する。なお、平均値算出部３６は、風量記憶部３５に記憶された各排気ファン５ａ〜５ｄの排気風量の履歴から、それぞれの時刻での各排気ファン５ａ〜５ｄの排気風量の合計の平均値を算出してもよい。また、第１実施形態に係る平均値算出部３６は、風量記憶部３５に記憶された排気風量の全ての履歴を用いて、排気風量の平均値を算出するが、風量記憶部３５に記憶された排気風量の履歴における直前の一定時間（例えば、１時間）での排気風量の平均値を算出するものであってもよい。
【００４３】
不通判定部３３は、排気風量受信部３２が、いずれかの排気ファン５ａ〜５ｄより排気風量を示す信号（排気風量信号）を受信できない不通状態にあるかを判定する。
【００４４】
不通時給気制御部３４は、不通判定部３３により不通状態にあると判定された場合に、所定の風量となるように外気導入ファン４を制御する。第１実施形態に係る不通時給気制御部３４では、所定の風量として、平均値算出部３６により算出された排気ファン５ａ〜５ｄ毎の排気風量の平均値の合計の風量を設定する。
【００４５】
なお、不通判定部３３により、不通状態にないと判定されれば、システムコントローラ１０は、連動制御部３１により、外気導入ファン４に対して、各排気ファン５ａ〜５ｄの実際の排気風量の合計と等しくなるように、その風量を設定する。
【００４６】
次いで、図３を参照して、システムコントローラ１０により実行される給気風量設定処理について説明する。図３は、その給気風量設定処理を示すフローチャートである。この給気風量設定処理は、所定時間（例えば１分）毎にシステムコントローラ１０によって実行され、外気導入ファン４の給気風量を制御する処理である。
【００４７】
システムコントローラ１０は、給気風量設定処理を実行することにより、まず、各排気ファン５ａ〜５ｄに対して、実際の運転における排気風量を問い合わせる（Ｓ１１）。このＳ１１の処理が、システムコントローラ１０の排気風量受信部３２に該当する。
【００４８】
次いで、システムコントローラ１０は、Ｓ１１の処理の結果として、各排気ファン５ａ〜５ｄより、実際の排気風量を示す排気風量信号の受信があったかを判定する（Ｓ１２）。
【００４９】
Ｓ１２の判定の結果、排気風量信号の受信があったと判定された場合（Ｓ１２）、システムコントローラ１０は、各排気ファン５ａ〜５ｄの実際の排気風量の合計と等しい風量となるように、外気導入ファン４の給気風量を設定し（Ｓ１３）、給気風量設定処理を終了する。Ｓ１３の処理により、一般住宅１内の空気質の維持と空気量の維持とが図られる。このＳ１３の処理が、システムコントローラ１０の連動制御部３１に該当する。
【００５０】
なお、各排気ファン５ａ〜５ｄより取得された各々の実際の排気風量は、風量記憶部３５に排気風量の履歴として記憶される。
【００５１】
一方、Ｓ１２の判定の結果、排気風量信号の受信がないと判定された場合（Ｓ１２：Ｎｏ）、次いで、システムコントローラ１０は、その受信ができなかった回数が連続して所定回数（例えば、２回）を超えたか否かを判断する（Ｓ１４）。
【００５２】
その結果、排気風量信号を受信できなかった回数が所定回数を超えたと判断された場合に（Ｓ１４：Ｙｅｓ）、システムコントローラ１０は、排気ファン５ａ〜５ｄから排気風量信号を受信できない不通状態と判断し、Ｓ１６の処理へ移行する。このＳ１４の処理により、ノイズなどの影響により一時的に排気ファン５ａ〜５ｄから排気風量信号が受信できなかった場合を不通状態から除くことができる。
【００５３】
なお、Ｓ１２及びＳ１４の処理が、システムコントローラ１０の不通判定部３３に該当する。また、Ｓ１４の処理において、システムコントローラ１０は、排気風量信号の受信できなかった回数が連続して所定回数以上となったか否かを判断し、所定回数以上となったと判断した場合に、不通状態と判断してＳ１６の処理へ移行してもよい。
【００５４】
システムコントローラ１０は、Ｓ１６の処理において、風量記憶部３５に記憶された各排気ファン５ａ〜５ｄの排気風量の履歴に基づいて、排気ファン５ａ〜５ｄ毎に排気風量の平均値を算出する。このＳ１６の処理が、システムコントローラ１０の平均値算出部３６に該当する。
【００５５】
そして、システムコントローラ１０は、Ｓ１６の処理により算出された各排気ファン５ａ〜５ｄの排気風量の平均値の合計と同じ風量となるように、外気導入ファン４の給気風量を設定し（Ｓ１７）、給気風量処理を終了する。このＳ１７の処理が、システムコントローラ１０の不通時給気制御部３４に該当する。
【００５６】
システムコントローラ１０は、Ｓ１７の処理により、排気ファン５ａ〜５ｄから排気風量信号が受信できない不通状態にある場合に、外気導入ファン４の運転を停止するのではなく、所定の風量となるように給気風量が設定される。これにより、換気空調システム２０は、第１種換気方式としての給排気バランスを一定のルールのもとで維持できる。よって、換気空調システム２０は、排気ファン５ａ〜５ｄと外気導入ファン４との連携接続が切れた場合であっても、安定して換気を行うことができる。
【００５７】
また、この場合に設定される外気導入ファン４の給気風量は、不通状態となるまでの排気ファン５ａ〜５ｄにおける実際の排気風量の履歴に基づいて設定される。つまり、受信できなかった排気ファン５ａ〜５ｄの実際の排気風量が、その不通状態となるまでの排気ファン５ａ〜５ｄの履歴に基づいて予測され、その予測された排気ファン５ａ〜５ｄの排気風量に応じた給気風量が外気導入ファン４に設定される。よって、換気空調システム２０は、排気ファン５ａ〜５ｄと外気導入ファン４との給排気バランスをより精度よく維持できる。
【００５８】
特に、第１実施形態に係る換気空調システム２０は、不通状態となるまでの各排気ファン５ａ〜５ｄの実際の排気風量の履歴から、その排気風量の平均値を算出し、その平均値の合計と等しくなるように、外気導入ファン４の給気風量を設定する。これにより、換気空調システム２０は、設定する外気導入ファン４の給気風量を、不通状態にある排気ファン５ａ〜５ｄの実際の排気風量に応じた風量に近づけたものとすることができる。よって、換気空調システム２０は、排気ファン５ａ〜５ｄと外気導入ファン４との給排気バランスを更に精度よく維持できる。
【００５９】
また、第１実施形態に係る換気空調システム２０は、上述した通り、不通状態となるまでの各排気ファン５ａ〜５ｄの実際の排気風量の履歴から、その履歴における直前の一定時間での排気風量の平均値を算出し、その平均値の合計と等しくなるように、外気導入ファン４の給気風量を設定してもよい。このようにすることで、換気空調システム２０は、設定する外気導入ファン４の給気風量を、不通状態となるまでの直前の排気ファン５ａ〜５ｄの実際の排気風量に応じた風量に近づけることができる。よって、換気空調システム２０は、排気ファン５ａ〜５ｄと外気導入ファン４との給排気バランスを更に精度よく維持できる。
【００６０】
一方、Ｓ１４の判定の結果、排気風量信号を受信できなかった回数が所定回数を超えていない（所定回数以下である）と判断された場合（Ｓ１４：Ｙｅｓ）、システムコントローラ１０は、不通状態に至っていない判断してＳ１５の処理へ移行する。システムコントローラ１０は、Ｓ１５の処理において、前回実行した給気風量設定処理により設定された給気風量を、外気導入ファン４の給気風量として設定する。
【００６１】
Ｓ１５の処理により、システムコントローラ１０は、一時的に排気ファン５ａ〜５ｄより排気風量信号を受信できなかったとしても、外気導入ファン４を前回の給気風量設定処理によって設定された給気風量に設定される。これにより、換気空調システム２０は、第１種換気方式としての給排気バランスを一定のルールのもとで維持できる。よって、排気ファン５ａ〜５ｄと外気導入ファン４との連携接続が切れた場合であっても、安定して換気を行うことができる。
【００６２】
以上、第１実施形態に係る換気空調システム２０では、排気風量受信部３２が排気風量信号を受信できない不通状態と不通判定部３３により判定された場合に、外気導入ファン４は不通時給気制御部３４によって所定の風量で制御される。
【００６３】
具体的には、風量記憶部３５に各排気ファン５ａ〜５ｄの実際の排気風量の履歴が記憶され、各排気ファン５ａ〜５ｄが不通状態になるまでの排気ファン５ａ〜５ｄの排気風量の履歴に基づいて、平均値算出部３６よって、その排気風量の平均値が算出される。そして、その排気風量の平均値の合計が所定の風量として、不通時給気制御部３４により外気導入ファン４に設定される。
【００６４】
これにより、排気ファン５ａ〜５ｄと外気導入ファン４との連携接続が切れた場合であっても安定して換気を行うことができる。
【００６５】
（第２実施形態）
次いで、図４及び図５を参照して、第２実施形態に係る換気空調システム２０について説明する。
【００６６】
第１実施形態に係る換気空調システム２０は、排気風量受信部３２が排気風量信号を受信できない不通状態と不通判定部３３により判定された場合に、風量記憶部３５に記憶された各排気ファン５ａ〜５ｄが不通状態になるまでの排気ファン５ａ〜５ｄの排気風量の履歴に基づいて、平均値算出部３６よってその排気風量の平均値が算出され、その排気風量の平均値の合計が、不通時給気制御部３４により外気導入ファン４に設定される場合について説明した。
【００６７】
これに対し、第２実施形態に係る換気空調システム２０は、排気風量受信部３２が排気風量信号を受信できない不通状態と不通判定部３３により判定された場合に、風量記憶部３５に記憶された各排気ファン５ａ〜５ｄが不通状態になるまでの排気ファン５ａ〜５ｄの排気風量の履歴に基づいて、排気ファン５ａ〜５ｄ毎にその履歴の中の最大排気風量を算出する。そして、第２実施形態に係る換気空調システム２０は、その算出した各排気ファン５ａ〜５ｄの最大排気風量の合計を、所定の風量として外気導入ファン４の給気風量に設定する。
【００６８】
以下、第２実施形態に係る換気空調システム２０について、第１実施形態に係る換気空調システム２０と相違する点を中心に説明する。第１実施形態に係る換気空調システム２０と同一の構成については、同一の符号を付し、その説明を省略する。
【００６９】
図４は、第２実施形態に係る換気空調システム２０のシステムコントローラ１０の概略機能ブロック図である。
【００７０】
第２実施形態に係るシステムコントローラ１０は、第１実施形態に係るシステムコントローラ１０の平均値算出部３６に代えて、最大風量算出部３８が設けられている。
【００７１】
最大風量算出部３８は、風量記憶部３５に記憶された各排気ファン５ａ〜５ｄの排気風量の履歴の中から、排気ファン５ａ〜５ｄ毎に排気風量の最大排気風量を算出する。なお、第２実施形態に係る最大風量算出部３８は、排気ファン５ａ〜５ｄ毎に、風量記憶部３５に記憶された排気風量の全ての履歴の中から最大排気風量を算出するが、風量記憶部３５に記憶された排気風量の履歴における直前の一定時間（例えば、１時間）での最大排気風量を、排気ファン５ａ〜５ｄ毎に算出するものであってもよい。
【００７２】
最大風量算出部３８により算出された排気ファン５ａ〜５ｄ毎の最大排気風量は、不通時給気制御部３４により使用される。即ち、不通時給気制御部３４は、不通判定部３３により不通状態にあると判定された場合に、排気ファン５ａ〜５ｄ毎に最大風量算出部３８により算出された最大排気風量の合計を、外気導入ファン４の給気風量として設定する。
【００７３】
次いで、図５を参照して、第２実施形態に係るシステムコントローラ１０により実行される給気風量設定処理について説明する。図５は、その給気風量設定処理を示すフローチャートである。
【００７４】
第２実施形態に係るシステムコントローラ１０により実行される給気風量設定処理が、第１実施形態に係るシステムコントローラ１０により実行される給気風量設定処理と相違する点は、Ｓ１６及びＳ１７の処理に代えて、Ｓ２１及びＳ２２の処理を実行する点である。
【００７５】
即ち、第２実施形態に係るシステムコントローラ１０は、Ｓ１２の判定の結果、排気風量信号の受信がないと判定され（Ｓ１２：Ｎｏ）、Ｓ１４の判定の結果、排気風量信号を受信できなかった回数が所定回数を超えたと判断された場合に（Ｓ１４：Ｙｅｓ）、排気ファン５ａ〜５ｄから排気風量信号を受信できない不通状態と判断し、Ｓ２１及びＳ２２の処理を実行する。
【００７６】
システムコントローラ１０は、Ｓ２１の処理において、風量記憶部３５に記憶された各排気ファン５ａ〜５ｄの排気風量の履歴の中から、排気ファン５ａ〜５ｄ毎に最大排気風量を算出する。このＳ２１の処理が、システムコントローラ１０の最大風量算出部３８に該当する。
【００７７】
そして、システムコントローラ１０は、Ｓ２１の処理により算出された各排気ファン５ａ〜５ｄの最大排気風量の合計と同じ風量となるように、外気導入ファン４の給気風量を設定し（Ｓ２２）、給気風量処理を終了する。このＳ２２の処理が、システムコントローラ１０の不通時給気制御部３４に該当する。
【００７８】
以上の説明した通り、第２実施形態に係る換気空調システム２０においても、排気ファン５ａ〜５ｄから排気風量信号が受信できない不通状態にある場合に、外気導入ファン４の運転を停止するのではなく、所定の風量となるように給気風量が設定される。これにより、換気空調システム２０は、第１種換気方式としての給排気バランスを一定のルールのもとで維持できる。よって、換気空調システム２０は、排気ファン５ａ〜５ｄと外気導入ファン４との連携接続が切れた場合であっても、安定して換気を行うことができる。
【００７９】
特に、第２実施形態に係る換気空調システム２０は、不通状態となるまでの各排気ファン５ａ〜５ｄの実際の排気風量の履歴の中から、排気ファン５ａ〜５ｄ毎に排気風量の最大排気風量を算出し、これら最大排気風量の合計と等しくなるように、外気導入ファン４の給気風量を設定する。これにより、換気空調システム２０は、一般住宅１を正圧にしつつ、排気ファン５ａ〜５ｄと外気導入ファン４との給排気バランスを維持することができる。
【００８０】
また、第２実施形態に係る換気空調システム２０は、上述した通り、不通状態となるまでの各排気ファン５ａ〜５ｄの実際の排気風量の履歴において、その履歴における直前の一定時間での排気風量の最大排気風量を排気ファン５ａ〜５ｄ毎に算出するようにしてもよい。そして、換気空調システム２０は、それらの最大排気風量の合計と等しくなるように、外気導入ファン４の給気風量を設定してもよい。このようにすることで、換気空調システム２０は、設定する外気導入ファン４の給気風量を、不通状態となるまでの直前の排気ファン５ａ〜５ｄの実際の排気風量に応じた風量に近づけることができる。よって、換気空調システム２０は、排気ファン５ａ〜５ｄと外気導入ファン４との給排気バランスを精度よく維持できる。
【００８１】
その他、第２実施形態に係る換気空調システム２０は、第１実施形態に係る換気空調システム２０と同様の構成によって、同一の効果を奏する。
【００８２】
（第３実施形態）
次いで、図６及び図７を参照して、第３実施形態に係る換気空調システム２０について説明する。
【００８３】
第３実施形態に係る換気空調システム２０は、排気風量受信部３２が排気風量信号を受信できない不通状態と不通判定部３３により判定された場合に、予め定められた一定の風量でありかつ外気導入ファン４の最大給気風量とは異なる風量を、所定の風量として外気導入ファン４の給気風量に設定する。
【００８４】
以下、第３実施形態に係る換気空調システム２０について、第１実施形態に係る換気空調システム２０と相違する点を中心に説明する。第１実施形態に係る換気空調システム２０と同一の構成については、同一の符号を付し、その説明を省略する。
【００８５】
図６は、第３実施形態に係る換気空調システム２０のシステムコントローラ１０の概略機能ブロック図である。
【００８６】
第３実施形態に係るシステムコントローラ１０は、第１実施形態に係るシステムコントローラ１０の風量記憶部３５及び平均値算出部３６に代えて、不通時風量記憶部３９が設けられている。
【００８７】
不通時風量記憶部３９は、排気ファン５ａ〜５ｄが不通状態時にある場合に、その不通状態時に動作させる予め決められた外気導入ファン４の給気風量であって、その外気導入ファン４の最大給気風量とは異なる風量を記憶する。この不通時風量記憶部３９に記憶された給気風量は、不通時給気制御部３４にて使用される。
【００８８】
即ち、不通時給気制御部３４は、不通判定部３３により不通状態にあると判定された場合に、不通時風量記憶部３９に記憶された給気風量を、外気導入ファン４の給気風量として設定する。
【００８９】
次いで、図７を参照して、第３実施形態に係るシステムコントローラ１０により実行される給気風量設定処理について説明する。図７は、その給気風量設定処理を示すフローチャートである。
【００９０】
第３実施形態に係るシステムコントローラ１０により実行される給気風量設定処理が、第１実施形態に係るシステムコントローラ１０により実行される給気風量設定処理と相違する点は、Ｓ１６及びＳ１７の処理に代えて、Ｓ３１の処理を実行する点である。
【００９１】
即ち、第３実施形態に係るシステムコントローラ１０は、Ｓ１２の判定の結果、排気風量信号の受信がないと判定され（Ｓ１２：Ｎｏ）、Ｓ１４の判定の結果、排気風量信号を受信できなかった回数が所定回数を超えたと判断された場合に（Ｓ１４：Ｙｅｓ）、排気ファン５ａ〜５ｄから排気風量信号を受信できない不通状態と判断し、Ｓ３１の処理を実行する。
【００９２】
システムコントローラ１０は、Ｓ３１の処理において、不通時風量記憶部３９に記憶された給気風量を、外気導入ファン４の給気風量として設定する。つまり、排気ファン５ａ〜５ｄから排気風量信号を受信できない不通状態と判断された場合、その不通状態時に動作させる予め決められた外気導入ファン４の給気風量であって、その外気導入ファン４の最大給気風量とは異なる風量が、外気導入ファン４に設定される。このＳ３１の処理が、システムコントローラ１０の不通時給気制御部３４に該当する。
【００９３】
以上の説明した通り、第３実施形態に係る換気空調システム２０においても、排気ファン５ａ〜５ｄから排気風量信号が受信できない不通状態にある場合に、外気導入ファン４の運転を停止するのではなく、所定の風量となるように給気風量が設定される。これにより、換気空調システム２０は、第１種換気方式としての給排気バランスを一定のルールのもとで維持できる。よって、換気空調システム２０は、排気ファン５ａ〜５ｄと外気導入ファン４との連携接続が切れた場合であっても、安定して換気を行うことができる。
【００９４】
特に、第３実施形態に係る換気空調システム２０は、所定の風量として、不通状態時に動作させる予め決められた外気導入ファン４の給気風量となるように、外気導入ファン４を設定する。これにより、排気ファン５ａ〜５ｄが不通状態となった場合の外気導入ファン４の給気風量の設定に係る制御を、容易に実現できる。また、この場合に設定される外気導入ファン４の給気風量は、外気導入ファン４の最大給気風量とは異なるものであるため、排気ファン５ａ〜５ｄが不通状態となった場合に外気導入ファン４からの騒音を抑制できる。
【００９５】
その他、第３実施形態に係る換気空調システム２０は、第１又は第２実施形態に係る換気空調システム２０と同様の構成によって、同一の効果を奏する。
【００９６】
（第４実施形態）
次いで、図８を参照して、第４実施形態に係る換気空調システム２０について説明する。
【００９７】
第３実施形態に係る換気空調システム２０では、排気風量受信部３２が排気風量信号を受信できない不通状態と不通判定部３３により判定された場合に、予め定められた一定の風量でありかつ外気導入ファン４の最大給気風量とは異なる風量を、所定の風量として外気導入ファン４の給気風量に設定する場合について説明した。
【００９８】
これに対し、第４実施形態に係る換気空調システム２０は、排気風量受信部３２が排気風量信号を受信できない不通状態と不通判定部３３により判定された場合に、外気導入ファン４の最大給気風量を、所定の風量として外気導入ファン４の給気風量に設定する。
【００９９】
以下、第４実施形態に係る換気空調システム２０について、第３実施形態に係る換気空調システム２０と相違する点を中心に説明する。第３実施形態に係る換気空調システム２０と同一の構成については、同一の符号を付し、その説明を省略する。
【０１００】
図８は、第４実施形態に係るシステムコントローラ１０により実行される給気風量設定処理を示すフローチャートである。
【０１０１】
第４実施形態に係るシステムコントローラ１０では、不通時風量記憶部３９に、排気ファン５ａ〜５ｄが不通状態時にある場合に動作させる予め決められた外気導入ファン４の給気風量として、外気導入ファン４の最大給気風量が記憶されている。
【０１０２】
その上で、第４実施形態に係るシステムコントローラ１０により実行される給気風量設定処理が、第３実施形態に係るシステムコントローラ１０により実行される給気風量設定処理と相違する点は、Ｓ４１の処理を実行する点である。
【０１０３】
即ち、第４実施形態に係るシステムコントローラ１０は、Ｓ１２の判定の結果、排気風量信号の受信がないと判定され（Ｓ１２：Ｎｏ）、Ｓ１４の判定の結果、排気風量信号を受信できなかった回数が所定回数を超えたと判断された場合に（Ｓ１４：Ｙｅｓ）、排気ファン５ａ〜５ｄから排気風量信号を受信できない不通状態と判断し、Ｓ４１の処理を実行する。
【０１０４】
システムコントローラ１０は、Ｓ４１の処理において、外気導入ファン４の最大給気風量を、外気導入ファン４の給気風量として設定する。つまり、排気ファン５ａ〜５ｄから排気風量信号を受信できない不通状態と判断された場合、外気導入ファン４の最大給気風量が、外気導入ファン４に設定される。第４実施形態に係る換気空調システム２０において、このＳ４１の処理が、システムコントローラ１０の不通時給気制御部３４に該当する。
【０１０５】
以上の説明した通り、第４実施形態に係る換気空調システム２０においても、排気ファン５ａ〜５ｄから排気風量信号が受信できない不通状態にある場合に、外気導入ファン４の運転を停止するのではなく、所定の風量となるように給気風量が設定される。これにより、換気空調システム２０は、第１種換気方式としての給排気バランスを一定のルールのもとで維持できる。よって、換気空調システム２０は、排気ファン５ａ〜５ｄと外気導入ファン４との連携接続が切れた場合であっても、安定して換気を行うことができる。
【０１０６】
特に、第４実施形態に係る換気空調システム２０は、外気導入ファン４の最大給気風量を所定の風量として外気導入ファン４に設定する。これにより、排気ファン５ａ〜５ｄが不通状態となった場合の外気導入ファン４の給気風量の設定に係る制御を、容易に実現できる。また、この場合に設定される外気導入ファン４の給気風量は、外気導入ファン４の最大給気風量であるので、一般住宅１の室内を正圧にしながら、安定して換気を行うことができる。
【０１０７】
その他、第４実施形態に係る換気空調システム２０は、第１から第３実施形態のいずれかに係る換気空調システム２０と同様の構成によって、同一の効果を奏する。
【０１０８】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【０１０９】
上記各実施形態において、システムコントローラ１０を外気導入ファン４や各排気ファン５ａ〜５ｄと独立して設け、システムコントローラ１０がハブとなり、システムコントローラ１０と外気導入ファン４、及び、システムコントローラ１０と各排気ファン５ａ〜５ｄとの間で通信を行う場合について説明した。これに対し、外気導入ファン４と各排気ファン５ａ〜５ｄとが直接通信を行い、連動しながら制御が行われてもよい。この場合、システムコントローラ１０は外気導入ファン４に内蔵され、そのシステムコントローラ１０が各排気ファン５ａ〜５ｄと通信可能に構成されて、外気導入ファン４に設けられたファンと各排気ファン５ａ〜５ｄとを連動させ、上記各実施形態で説明した制御を行うようにしてもよい。
【０１１０】
上記各実施形態では、給気風量設定処理において、Ｓ１２の判定の結果、排気風量信号の受信がないと判定され（Ｓ１２：Ｎｏ）、Ｓ１４の判定の結果、排気風量信号を受信できなかった回数が所定回数を超えたと判断された場合に（Ｓ１４：Ｙｅｓ）、排気ファン５ａ〜５ｄから排気風量信号を受信できない不通状態と判断した。これに対し、Ｓ１４の処理を省略し、Ｓ１２の判定の結果、排気風量信号の受信がないと判定された場合に（Ｓ１２：Ｎｏ）、不通状態と判定し、Ｓ１６及びＳ１７の処理、Ｓ２１及びＳ２２の処理、Ｓ３１の処理、又は、Ｓ４１の処理を実行してもよい。
【０１１１】
上記第１実施形態では、Ｓ１２及びＳ１４の処理により、各排気ファン５ａ〜５ｄのうち１つでも不通状態であると判定されれば、風量記憶部３５に記憶された各排気ファン５ａ〜５ｄの風量の履歴に基づいて、それぞれの排気ファン５ａ〜５ｄの排気風量の平均値が算出され、その平均値の合計が所定の風量として外気導入ファン４に設定された。これに対し、Ｓ１２及びＳ１４の処理において、排気ファン５ａ〜５ｄのうち、不通状態にある排気ファンを判定し、その不通状態にある排気ファンについてのみ、風量記憶部３５に記憶された風量の履歴に基づいて、排気風量の平均値を算出してもよい。そして、排気風量信号を受信した排気ファンの実際の排気風量と、不通状態であった排気ファンの排気風量の平均値との合計を、所定の風量として外気導入ファン４に設定してもよい。これにより、排気ファン５ａ〜５ｄの一部と外気導入ファン４との連携接続が切れた場合に、より安定して換気を行うことができる。
【０１１２】
上記第２実施形態では、Ｓ１２及びＳ１４の処理により、各排気ファン５ａ〜５ｄのうち１つでも不通状態であると判定されれば、風量記憶部３５に記憶された各排気ファン５ａ〜５ｄの風量の履歴に基づいて、それぞれの排気ファン５ａ〜５ｄの最大排気風量が算出され、その最大排気風量の合計が所定の風量として外気導入ファン４に設定された。これに対し、Ｓ１２及びＳ１４の処理において、排気ファン５ａ〜５ｄのうち、不通状態にある排気ファンを判定し、その不通状態にある排気ファンについてのみ、風量記憶部３５に記憶された風量の履歴に基づいて、最大排気風量を算出してもよい。そして、排気風量信号を受信した排気ファンの実際の排気風量と、不通状態であった排気ファンの最大排気風量との合計を、所定の風量として外気導入ファン４に設定してもよい。これにより、排気ファン５ａ〜５ｄの一部と外気導入ファン４との連携接続が切れた場合に、より安定して換気を行うことができる。
【０１１３】
上記第２実施形態では、風量記憶部３５に記憶される排気風量の履歴として、排気ファン５ａ〜５ｄ毎の実際の排気風量の履歴を記憶したが、これに代えて排気ファン５ａ〜５ｄの排気風量の合計値の履歴を記憶してもよい。そして、換気空調システム２０は、排気ファン５ａ〜５ｄのいずれかが不通状態にある場合に、風量記憶部３５に記憶された排気風量の合計値の履歴の中から最大の排気風量の合計値を算出し、この最大の排気風量の合計値と等しくなるように外気導入ファン４の給気風量を設定するようにしてもよい。これにより、換気空調システム２０は、風量記憶部３５に必要な記憶容量を少なくできる。
【０１１４】
また、換気空調システム２０は、不通状態となるまでの排気ファン５ａ〜５ｄのいずれかが不通状態となった場合に、風量記憶部３５に記憶された不通状態となるまでの排気風量の合計値の履歴において、その履歴における直前の一定時間での排気風量の合計値の最大値を算出するようにしてもよい。そして、換気空調システム２０は、算出した直前の一定時間での排気風量の合計値の最大値と等しくなるように、外気導入ファン４の給気風量を設定するようにしてもよい。これにより、換気空調システム２０は、設定する外気導入ファン４の給気風量を、不通状態となるまでの直前の排気ファン５ａ〜５ｄの排気風量の合計に応じた風量に近づけることができる。
【０１１５】
上記第４実施形態では、排気ファン５ａ〜５ｄから排気風量信号が受信できない不通状態にある場合に、常に、外気導入ファン４の給気風量としてその外気導入ファン４の最大給気風量が設定される場合について説明した。これに対し、ユーザが一般住宅１の室内を圧にすることを望む場合に、不通状態時の外気導入ファン４の給気風量としてその外気導入ファン４の最大給気風量を設定するようにし、その他の場合は、上記第１〜第３実施形態のいずれかの方法で、不通状態時の外気導入ファン４の給気風量を設定してもよい。これにより、不通状態時において、ユーザの要望に応じた制御を行うことができる。
【０１１６】
また、排気ファン５ａ〜５ｄにおいて各種センサーにより取得された値に基づいて排気風量の制御が多く行われる場合、及び／又は、排気ファン５ａ〜５ｄにおいてユーザの設定に基づいて排気風量の制御が多く行われる場合に、不通状態時の外気導入ファン４の給気風量としてその外気導入ファン４の最大給気風量を設定するようにし、その他の場合は、上記第１〜第３実施形態のいずれかの方法で、不通状態時の外気導入ファン４の給気風量を設定してもよい。これにより、不通状態において必要以上に外気導入ファン４が最大給気風量で運転されることを抑制し、騒音の発生等を抑制できる。
【０１１７】
また、循環ファン６ａ〜６ｄ、及び搬送ファン３ａ〜３ｄは、居室２ａ〜２ｄと空調室１８とを接続するダクトによって連通されている。しかしながら循環ファン６ａ〜６ｄについては必ずしもダクトで接続する必要はなく、居室２ａ〜２ｄ間を結ぶ廊下等の空間をダクトとみなすことも可能である。この場合、居室２ａ〜２ｄ内の空気は居室２ａ〜２ｄから循環ファンによって廊下に搬送される。廊下に搬送された居室２ａ〜２ｄ内の空気は、廊下と連通する空調室１８に取り込まれる。空調室１８への取り込みは、空調室の廊下に面した壁面に取込ファンを備えることで行われ、あるいは循環ファン及び／又は取込ファンを利用することなく空調室１８の負圧化により取り込んでもよい。このような構成によっても、ダクトで接続するのに対して循環効率は下がることが予想されるが、湿度の均一化に寄与することができる。
【産業上の利用可能性】
【０１１８】
本発明に係る換気空調システムは、戸建て住宅やマンション等の複合住宅に適用可能である。なお、複合住宅に適用する場合には、１つのシステムが世帯単位に対応するものであり、各世帯を１つの居室とするものではない。
【符号の説明】
【０１１９】
１        一般住宅
２ａ      居室
２ｂ      居室
２ｃ      居室
２ｄ      居室
３ａ      搬送ファン
３ｂ      搬送ファン
３ｃ      搬送ファン
３ｄ      搬送ファン
４        外気導入ファン
５ａ      排気ファン
５ｂ      排気ファン
５ｃ      排気ファン
５ｄ      排気ファン
６ａ      循環ファン
６ｂ      循環ファン
６ｃ      循環ファン
６ｄ      循環ファン
１０      システムコントローラ
１１ａ    居室温度センサー
１１ｂ    居室温度センサー
１１ｃ    居室温度センサー
１１ｄ    居室温度センサー
１２ａ    居室湿度センサー
１２ｂ    居室湿度センサー
１２ｃ    居室湿度センサー
１２ｄ    居室湿度センサー
１４      空調室温度センサー
１５      空調室湿度センサー
１６      加湿器
１７      除湿器
１８      空調室
１９      入出力端末
３１      連動制御部
３２      排気風量受信部
３３      不通判定部
３４      不通時給気制御部
３５      風量記憶部
３６      平均値算出部
３８      最大風量算出部
３９      不通時風量記憶部
【図１】
2020051679.tif 000003
【図２】
2020051679.tif 000004
【図３】
2020051679.tif 000005
【図４】
2020051679.tif 000006
【図５】
2020051679.tif 000007
【図６】
2020051679.tif 000008
【図７】
2020051679.tif 000009
【図８】
2020051679.tif 000010